(57)【特許請求の範囲】
【請求項１】
排泄物を受ける吸収性物品、または、吸収性物品を着用する際に前記吸収性物品の外側を覆う外装物品を、収容物として収容する包装袋であって、
包装シート部材にて形成された袋状であり、通気孔と、破断されることにより収容物の出し入れに利用される開口が形成される脆弱線と、を有する袋部と、
前記開口を密閉することにより、前記通気孔を介して外部と連通可能な収容空間を形成する線ファスナと、
前記袋部の外面に着脱自在に貼付されて前記通気孔を閉塞する閉塞部と、
を備え、
前記包装シート部材により、前記袋部と連続する持ち手部が形成され、
前記持ち手部の一部が、前記閉塞部であることを特徴とする包装袋。
【請求項２】
請求項１に記載の包装袋であって、
前記包装シート部材において前記袋部の端部から広がる持ち手形成部が、所定の折り返し位置にて前記袋部に向かって折り返されて積層されることにより前記持ち手部が形成され、
前記通気孔を閉塞する際に、前記折り返し位置と前記袋部の前記端部との間の他の折り返し位置にて前記持ち手形成部が折り返され、前記持ち手形成部の先端と前記他の折り返し位置との間の部位により前記通気孔が閉塞されることを特徴とする包装袋。
【請求項３】
請求項２に記載の包装袋であって、
前記持ち手形成部が、破断されることにより前記持ち手形成部の前記先端側の部位を分離する他の脆弱線を有することを特徴とする包装袋。
【請求項４】
請求項１ないし３のいずれかに記載の包装袋であって、
前記脆弱線と前記通気孔が、前記袋部の前記外面の同じ側に配置されることを特徴とする包装袋。
【請求項５】
包装体であって、
排泄物を受ける吸収性物品、または、吸収性物品を着用する際に前記吸収性物品の外側を覆う外装物品である収容物と、
前記収容物を収容する請求項１ないし４のいずれかに記載の包装袋と、
を備えることを特徴とする包装体。
【発明の詳細な説明】
【技術分野】
【０００１】
本発明は、排泄物を受ける吸収性物品、または、吸収性物品を着用する際に当該吸収性物品の外側を覆う外装物品を、収容物として収容する包装袋、および、当該収容物が包装袋に収容された包装体に関する。
【背景技術】
【０００２】
従来より、使い捨ておむつや使い捨ておむつの内側に取り付けられる補助吸収具（例えば、尿取りパッド）等の吸収性物品は、多数個（例えば、数十個）が積層された状態で包装袋に収容されて販売されている。一方、特許文献１では、少枚数の紙おむつを包装した携帯用紙おむつ包装体が提案されている。当該携帯用紙おむつ包装体では、自立姿勢を維持するために必要な所定の底面積を有する底部が設けられ、店頭の陳列棚等に自立姿勢にて陳列可能とされている。また、包装袋の開口部に再封止できるジッパーを設けることにより、使用済みの紙おむつを包装袋内に密封収容した状態で持ち帰ることができるようにされている。
【先行技術文献】
【特許文献】
【０００３】
【特許文献１】特開２００５−８１６４号公報
【発明の概要】
【発明が解決しようとする課題】
【０００４】
ところで、特許文献１の携帯用紙おむつ包装体では、使用済みの紙おむつを収容した包装袋の開口部をジッパーにて封止する際、包装袋内の空気を抜くために、包装袋の底部から開口部に向けて包装袋を押さえながらジッパーを封止する必要がある。
【０００５】
しかしながら、一方の手で包装袋を押さえて空気を抜きつつ、他方の手でジッパーを封止することは容易ではない。また、自立姿勢を維持するために、ある程度の剛性を有する底部が包装袋に設けられているため、包装袋の底部近傍から空気を押し出すことが難しい。さらに、使用済みの紙おむつには排泄物が包まれているため、開口部に向けて包装袋を強く押さえると、包装袋と共に押さえられる紙おむつから、排泄物が開口部に向けて漏出してしまうおそれもある。したがって、包装体を小型化することが困難であった。
【０００６】
本発明は、上記課題に鑑みなされたものであり、収容物を包装袋に収容する際に、包装体を小型化することを目的としている。
【課題を解決するための手段】
【０００７】
請求項１に記載の発明は、排泄物を受ける吸収性物品、または、吸収性物品を着用する際に前記吸収性物品の外側を覆う外装物品を、収容物として収容する包装袋であって、包装シート部材にて形成された袋状であり、通気孔と、破断されることにより収容物の出し入れに利用される開口が形成される脆弱線とを有する袋部と、前記開口を密閉することにより、前記通気孔を介して外部と連通可能な収容空間を形成する線ファスナと、前記袋部の外面に着脱自在に貼付されて前記通気孔を閉塞する閉塞部とを備え、前記包装シート部材により、前記袋部と連続する持ち手部が形成され、前記持ち手部の一部が、前記閉塞部である。
【０００９】
請求項２に記載の発明は、請求項１に記載の包装袋であって、前記包装シート部材において前記袋部の端部から広がる持ち手形成部が、所定の折り返し位置にて前記袋部に向かって折り返されて積層されることにより前記持ち手部が形成され、前記通気孔を閉塞する際に、前記折り返し位置と前記袋部の前記端部との間の他の折り返し位置にて前記持ち手形成部が折り返され、前記持ち手形成部の先端と前記他の折り返し位置との間の部位により前記通気孔が閉塞される。
【００１０】
請求項３に記載の発明は、請求項２に記載の包装袋であって、前記持ち手形成部が、破断されることにより前記持ち手形成部の前記先端側の部位を分離する他の脆弱線を有する。
【００１１】
請求項４に記載の発明は、請求項１ないし３のいずれかに記載の包装袋であって、前記脆弱線と前記通気孔が、前記袋部の前記外面の同じ側に配置される。
【００１２】
請求項５に記載の発明は、包装体であって、排泄物を受ける吸収性物品、または、吸収性物品を着用する際に前記吸収性物品の外側を覆う外装物品である収容物と、前記収容物を収容する請求項１ないし４のいずれかに記載の包装袋とを備える。
【発明の効果】
【００１３】
本発明では、収容物を包装袋に収容する際に、包装体を小型化することができる。
【図面の簡単な説明】
【００１４】
【図１】一の実施の形態に係る包装体の斜視図である。
【図２】包装体の斜視図である。
【図３】包装体の斜視図である。
【図４】包装袋の部分断面図である。
【図５】包装袋の部分断面図である。
【図６】包装袋の部分断面図である。
【図７】包装体の部分断面図である。
【図８】関連技術に係る包装体の斜視図である。
【発明を実施するための形態】
【００１５】
図１および図２は、本発明の一の実施の形態に係る包装体１を示す斜視図である。図２は、図１とは反対側から包装体１を見た図である。包装体１は、薄型のパッケージであり、以下の説明では、図１の手前側に示す主面１１を「前面１１」と呼び、図２の手前側に示す主面１２を「後面１２」と呼ぶ。
【００１６】
図１および図２に示すように、包装体１は、吸収性物品９、および、吸収性物品９を収容物として収容する薄いシート状の包装袋３を備える。包装袋３の内部には、１個または複数（例えば、２〜５個のように少数）の吸収性物品９が収容される。複数の吸収性物品９が包装袋３に収容される場合、これらの吸収性物品９は、包装袋３内において包装体１の前後方向に積み重ねられる。吸収性物品９は、軽失禁パッド等の補助吸収具、または、テープタイプやパンツタイプの使い捨ておむつ等であり、着用者に装着されて着用者からの排泄物を受ける。以下の説明では、補助吸収具である１個の吸収性物品９が包装袋３の内部に収容されているものとして説明する。吸収性物品９は、平面視において略矩形のシート状であり、長手方向の中央部にて２つ折りにされた状態で包装袋３に収容される。
【００１７】
包装袋３は、非通気性の包装シート部材（後述する第１包装シート部材３５および第２包装シート部材３６）にて形成された袋状の部位である袋部３１、および、当該包装シート部材にて袋部３１と連続して形成された持ち手部３２を備える。持ち手部３２は、袋部３１の上側に位置する帯状の部位であり、持ち手部３２の左右方向のおよそ中央には持ち手開口３２１が形成されている。包装体１の購入者等が持ち手部３２を持つ際には、購入者等の指が持ち手開口３２１に挿入され、持ち手開口３２１の上側の部位が把持される。
【００１８】
図１に示すように、袋部３１は、前面１１において持ち手部３２の近傍（すなわち、袋部３１の上部）にて左右方向に略直線状に延びる脆弱線３１１を有する。本実施の形態では、脆弱線３１１は、断続的に形成された直線状の切れ目により形成されるミシン目である。脆弱線３１１は、包装袋３を形成する包装シート部材を貫通しておらず、包装シート部材は脆弱線３１１においても非通気性である。包装袋３では、脆弱線３１１が破断されることにより、図３に示すように、吸収性物品９の出し入れに利用される開口３１２が、袋部３１の上部に形成される。包装袋３は、図１および図３に示すように、脆弱線３１１よりも下方（すなわち、開口３１２よりも下方）において左右方向に略直線状に延びる線ファスナ３３を備える。線ファスナ３３は、脆弱線３１１近傍（すなわち、開口３１２近傍）にて袋部３１の内面に配置される。
【００１９】
図４は、前後方向および上下方向に平行、かつ、後述する通気孔３１４を通る面にて、包装袋３の上部を切断した部分断面図である。図３および図４に示すように、線ファスナ３３は、互いに係脱自在に咬合する雄部３３１および雌部３３２を備える。雄部３３１は、前面１１の内面に配置され、雌部３３２は、後面１２の内面に配置される。包装袋３では、雄部３３１と雌部３３２とが咬合することにより、図３に示す開口３１２が密閉され、吸収性物品９を収容する収容空間３１３が線ファスナ３３の下方に形成される。換言すれば、線ファスナ３３により、収容空間３１３と開口３１２との連通が断たれて収容空間３１３が密閉される。
【００２０】
図２および図４に示すように、袋部３１は、後面１２において線ファスナ３３よりも下方に位置する（すなわち、上下方向において線ファスナ３３の脆弱線３１１とは反対側に位置する）通気孔３１４を有する。本実施の形態では、３つの通気孔３１４が左右方向に並んでおり、各通気孔３１４は略円形である。通気孔３１４は、開口３１２（図３参照）に比べて小さく、吸収性物品９の出し入れに利用できる程度の大きさは有していない。本実施の形態では、各通気孔３１４の直径は、線ファスナ３３の上下方向の幅以下である。収容空間３１３は、これらの通気孔３１４を介して外部と連通可能である。
【００２１】
図３および図４に示すように、包装袋３は、略矩形の第１包装シート部材３５、および、上下方向の長さが第１包装シート部材３５よりも短い略矩形の第２包装シート部材３６が接合されることにより形成される。具体的には、第１包装シート部材３５と第２包装シート部材３６との間に吸収性物品９を挟み、第１包装シート部材３５の下端と第２包装シート部材３６の下端とを合わせた状態で、第２包装シート部材３６の外縁部が全周に亘って第１包装シート部材３５に接合される。第２包装シート部材３６の接合は、ホットメルト接着剤による接着、熱圧着、超音波接合等、様々な方法により行われてよい。なお、図１ないし図３では、包装袋３の左右の接合部の図示を省略している（図８においても同様）。第２包装シート部材３６の外縁部よりも内側の部位は、第１包装シート部材３５には接合されず、吸収性物品９を介して第１包装シート部材３５から離間する。袋部３１は柔らかく、第１包装シート部材３５と第２包装シート部材３６との接合部を除き、全体の剛性がおよそ等しい。
【００２２】
図４に示す第１包装シート部材３５のうち、第２包装シート部材３６の上端から突出している部位は、持ち手部３２を形成する部位であり、以下の説明では、「持ち手形成部３５１」と呼ぶ。換言すれば、持ち手形成部３５１は、包装シート部材において袋部３１の上端部３１５から上方に（すなわち、脆弱線３１１や線ファスナ３３とは反対側に）広がる部位である。包装袋３では、持ち手形成部３５１が、袋部３１の上端部３１５から上方に離間した所定の折り返し位置３５２にて、袋部３１に向かって折り返されて積層されることにより、持ち手部３２が形成される。折り返し位置３５２は、包装袋３および持ち手部３２の上縁となる。
【００２３】
以下の説明では、持ち手形成部３５１において、折り返し位置３５２の両側の部位のうち、折り返し位置３５２と袋部３１の上端部３１５との間の部位を「第１持ち手形成部３５３」と呼び、折り返し位置３５２と持ち手形成部３５１の先端３５５との間の部位を「第２持ち手形成部３５４」と呼ぶ。第２持ち手形成部３５４の第１持ち手形成部３５３および袋部３１と対向する面には粘着処理が施されており、以下、「粘着処理面３５６」と呼ぶ。また、粘着処理面３５６と対向する第１持ち手形成部３５３および袋部３１の外面には易剥離処理（例えば、シリコンコート処理）が施されており、以下、「易剥離処理面３５７」と呼ぶ。易剥離処理面３５７は、袋部３１の上端部３１５から通気孔３１４よりも下側まで広がっている。
【００２４】
包装袋３では、第２持ち手形成部３５４の先端３５５が、複数の通気孔３１４の下方に位置し、第２持ち手形成部３５４の粘着処理面３５６が、第１持ち手形成部３５３および袋部３１の易剥離処理面３５７に着脱自在に貼付されることにより、第２持ち手形成部３５４の先端３５５近傍の部位３５８により複数の通気孔３１４が閉塞される。換言すれば、持ち手部３２の一部である第２持ち手形成部３５４の先端３５５近傍の部位３５８は、通気孔３１４を閉塞する閉塞部３５８である。
【００２５】
包装体１の吸収性物品９が使用される際には、包装袋３の脆弱線３１１が上述のように破断され、図３に示すように開口３１２が形成される。この状態では、線ファスナ３３の雄部３３１と雌部３３２とは咬合しておらず、開口３１２は線ファスナ３３により密閉されていない。包装袋３内の吸収性物品９は、開口３１２から取り出される。着用者からは、使用済みの吸収性物品が取り外され、包装袋３から取り出された新しい吸収性物品９が着用者に装着される。使用済みの吸収性物品は、空になった包装袋３に折り畳まれて収容される。
【００２６】
使用済みの吸収性物品が収容される際には、まず、図４に示す持ち手形成部３５１の第２持ち手形成部３５４の先端３５５近傍が把持され、第２持ち手形成部３５４が袋部３１の第２包装シート部材３６から離れる方向に引っ張られることにより、図５に示すように、第２持ち手形成部３５４の粘着処理面３５６が、袋部３１および第１持ち手形成部３５３の易剥離処理面３５７から剥離される。これにより、閉塞部３５８が複数の通気孔３１４から離間し、通気孔３１４を介して袋部３１内の空間（すなわち、収容空間３１３になる予定の空間）と外部とが連通する。図５では、包装袋３内の吸収性物品の図示を省略する（図６および図７においても同様）。
【００２７】
包装袋３では、袋部３１の通気孔３１４近傍に易剥離処理が施されることにより、閉塞部３５８を通気孔３１４近傍から容易に剥離することができる。なお、第２持ち手形成部３５４は、通気孔３１４が露出するように、通気孔３１４近傍を覆う閉塞部３５８のみが袋部３１から剥離されてもよい。
【００２８】
続いて、使用済みの吸収性物品が、開口３１２を介して袋部３１の中に入れられた後、線ファスナ３３の雄部３３１と雌部３３２とを咬合させることにより、開口３１２が密閉されて収容空間３１３が形成される。収容空間３１３は、上述のように、通気孔３１４を介して外部と連通している。次に、机等の平らな面上に、包装袋３の前面１１が当該面に当接するように包装袋３が載置され、包装袋３の後面１２が前面１１に向かって押圧される。これにより、収容空間３１３内の空気が、通気孔３１４を介して外部へと押し出される。なお、収容空間３１３内からの空気の押し出しは、包装袋３を両手に挟んで、前面１１および後面１２を互いに向けて押圧することにより行われてもよい。
【００２９】
そして、包装袋３が押圧された状態（すなわち、収容空間３１３内の空気の大部分が外部へと押し出された状態）で、持ち手形成部３５１の第２持ち手形成部３５４の粘着処理面３５６が、第１持ち手形成部３５３および袋部３１の易剥離処理面３５７に貼付され、複数の通気孔３１４が閉塞部３５８により閉塞される。これにより、収容空間３１３と外部との連通が断たれ、使用済みの吸収性物品が収容空間３１３内に密閉される。包装体１では、収容空間３１３が密閉されることにより、使用済みの吸収性物品から包装袋３の外部に、排泄物の臭い等が漏出することを防止することができる。
【００３０】
なお、最初に閉塞部３５８を袋部３１から剥離することなく、使用済みの吸収性物品が袋部３１に入れられた後、閉塞部３５８の袋部３１からの剥離、および、線ファスナ３３による開口３１２の密閉が順不同にて行われ、その後、閉塞部３５８による通気孔３１４の閉塞が行われて包装袋３が密閉されてもよい。また、使用済みの吸収性物品ではなく、他の新しい吸収性物品等が包装袋３に収容された後、上述と同様の手順にて包装袋３が密閉されてもよい。
【００３１】
以上に説明したように、使用済みの吸収性物品等の収容物を開封した包装袋３に収容する際に、通気孔３１４を介して収容空間３１３内の空気を押し出すことにより、開口３１２を介して空気を押し出す場合に比べて、収容空間３１３内の空気を外部に容易に押し出すことができ、包装袋３および包装体１を小型化することができる。そして、閉塞部３５８により通気孔３１４を閉塞することにより、小型化された包装袋３および包装体１の形状を維持することができる。
【００３２】
また、閉塞部３５８が、袋部３１と連続する持ち手部３２の一部であるため、閉塞部が袋部から独立した他の部材である場合に比べて、包装袋３の構造を簡素化することができる。その結果、包装袋３の製造コストを低減することができる。さらに、袋部３１は柔らかく、第１包装シート部材３５と第２包装シート部材３６との接合部を除き、全体の剛性がおよそ等しいため、収容空間３１３において、袋部３１のいずれの部位からも通気孔３１４に向けて空気を容易に押し出すことができる。
【００３３】
包装袋３では、図６に示すように、通気孔３１４を閉塞する際に、上述の折り返し位置３５２（図６中において二点鎖線にて描く。）と袋部３１の上端部３１５との間の他の折り返し位置３５９にて、持ち手形成部３５１が折り返されてもよい。この場合、複数の通気孔３１４は、持ち手形成部３５１の先端３５５と折り返し位置３５９との間の部位、詳細には、第２持ち手形成部３５４の元の閉塞部３５８（すなわち、開封前の包装体１における閉塞部）と折り返し位置３５９との間の部位により閉塞される。これにより、線ファスナ３３により開口３１２が密閉された包装袋３および包装体１を、より小型化することができる。
【００３４】
持ち手形成部３５１が、上記折り返し位置３５９にて折り返される場合、包装袋３では、図７に示すように、持ち手形成部３５１に他の脆弱線３５１１が設けられてもよい。脆弱線３５１１は、持ち手形成部３５１の先端３５５と通気孔３１４を覆う部位との間にて左右方向に略平行に配置される直線状であり、破断されることにより、持ち手形成部３５１の先端３５５側の部位が分離される。これにより、持ち手形成部３５１の折り返し位置３５９にて折り返された部位の長さを短くすることができ、持ち手形成部３５１の袋部３１に重なる部位の長さを短くすることができる。その結果、袋部３１に重ねられた持ち手形成部３５１の一部が引っかかって剥離すること等が抑制され、包装袋３および包装体１の取り扱いを容易とすることができる。
【００３５】
次に、本発明に関連する技術に係る包装体１ａについて説明する。図８は、包装体１ａを示す斜視図である。図８に示すように、包装体１ａでは、複数の通気孔３１４が、包装袋３ａの袋部３１の前面１１において、線ファスナ３３の下方に配置される。包装体１ａでは、袋部３１および持ち手部３２から独立した他のシート部材である閉塞部３５８ａが、袋部３１の前面１１に着脱自在に貼付されることにより、複数の通気孔３１４が閉塞される。持ち手形成部３５１の先端３５５は、袋部３１の上端部３１５とおよそ同じ位置に位置する。
【００３６】
包装袋３ａに、使用済みの吸収性物品等が収容される際には、上記実施の形態と同様に、閉塞部３５８ａが袋部３１から剥離され、脆弱線３１１が破断されることにより形成された開口３１２（図３参照）から吸収性物品等が袋部３１に入れられる。そして、線ファスナ３３により開口３１２を密閉した後に、袋部３１を押圧して収容空間３１３内の空気を押し出した状態で、閉塞部３５８ａを袋部３１に貼付して通気孔３１４を閉塞する。
【００３７】
なお、最初に閉塞部３５８ａを袋部３１から剥離することなく、使用済みの吸収性物品が袋部３１に入れられた後、閉塞部３５８ａの袋部３１からの剥離、および、線ファスナ３３による開口３１２の密閉が順不同にて行われ、その後、閉塞部３５８ａによる通気孔３１４の閉塞が行われて包装袋３ａが密閉されてもよい。また、使用済みの吸収性物品ではなく、他の新しい吸収性物品等が包装袋３ａに収容された後、上述と同様の手順にて包装袋３ａが密閉されてもよい。
【００３８】
以上に説明したように、使用済みの吸収性物品等の収容物を、脆弱線３１１を破断して開封した包装袋３ａに収容する際には、上記実施の形態と同様に、収容空間３１３内の空気を通気孔３１４を介して容易に抜くことができ、包装袋３ａおよび包装体１ａを小型化することができる。そして、閉塞部３５８ａにより通気孔３１４を閉塞することにより、小型化された包装袋３ａおよび包装体１ａの形状を維持することができる。
【００３９】
また、包装袋３ａでは、開口３１２を形成するための脆弱線３１１と通気孔３１４とが、袋部３１の外面の同じ側に配置されることにより、使用済みの吸収性物品等を袋部３１に入れる際と、通気孔３１４を閉塞部３５８ａにより閉塞する際とで、包装袋３ａの姿勢を変更する必要がない。このため、包装袋３ａに使用済みの吸収性物品等を入れて密封する作業を、より容易とすることができる。
【００４０】
包装袋３ａでは、包装袋３と同程度の長さの持ち手形成部３５１が設けられ、持ち手形成部３５１が袋部３１の前面１１側に折り返されて前面１１に着脱自在に貼付されることにより、複数の通気孔３１４が持ち手形成部３５１により閉塞されてもよい。この場合、脆弱線３１１を破断する際や吸収性物品等の収容物を袋部３１に対して出し入れする際等、持ち手形成部３５１は袋部３１から剥離される。
【００４１】
以上、本発明の実施の形態および関連技術について説明してきたが、本発明は上記実施の形態に限定されるものではなく、様々な変更が可能である。
【００４２】
例えば、線ファスナ３３は、開口３１２を密閉することができるものであれば、上記実施の形態とは異なる様々な構造のものが利用されてよい。脆弱線３１１，３５１１は、必ずしもミシン目である必要はなく、例えば、周囲の部位に比べて強度が小さい溝（すなわち、包装シート部材を貫通しない切り込み）であってもよい。通気孔３１４の形状や個数、配置位置等は様々に変更されてよい。ただし、通気孔３１４が持ち手形成部３５１により閉塞される場合、通気孔３１４は、袋部３１の上部において左右方向に並べて設けられることが好ましい。
【００４３】
包装袋３，３ａに収容される収容物は、必ずしも、吸収性物品には限定されず、吸収性物品を着用する際に当該吸収性物品の外側を覆う外装物品（例えば、おむつカバーやショーツ）であってもよい。外装物品が包装袋３，３ａに収容される場合も、上記実施の形態および関連技術と同様に、収容空間３１３内の空気を通気孔３１４を介して容易に抜くことができる。また、包装袋３，３ａおよび包装体１，１ａを小型化し、その形状を維持することができる。なお、包装体１，１ａを自立させて陳列する必要がある場合等、包装袋３，３ａの底部の剛性は、必要に応じて、底部以外の他の部位の剛性よりも高くてもよい。
【００４４】
上記実施形態および各変形例における構成は、相互に矛盾しない限り適宜組み合わされてよい。
【符号の説明】
【００４５】
１，１ａ    包装体
３，３ａ    包装袋
９    吸収性物品
３１    袋部
３２    持ち手部
３３    線ファスナ
３５    第１包装シート部材
３６    第２包装シート部材
３１１    脆弱線
３１２    開口
３１３    収容空間
３１４    通気孔
３１５    上端部
３５１    持ち手形成部
３５２    折り返し位置
３５５    先端
３５８，３５８ａ    閉塞部
３５９    折り返し位置
３５１１    脆弱線
【図１】
0005781361.tif 000002
【図２】
0005781361.tif 000003
【図３】
0005781361.tif 000004
【図４】
0005781361.tif 000005
【図５】
0005781361.tif 000006
【図６】
0005781361.tif 000007
【図７】
0005781361.tif 000008
【図８】
0005781361.tif 000009